(57)【要約】【課題】シート末端に引張に耐え得る壁がなくても設置でき，地震時の破損や落下の防止が可能な帯状不燃シートタイプの防煙垂壁取付装置の提供。【解決手段】帯状不燃シートタイプの防煙垂壁の取付装置であって；不燃シートの上縁部を支持するための上側枠部材と，防煙垂壁の末端部を構成する端部枠部材と；端部枠部材の内部に配置され，水平方向位置が調節可能であるようにこれに連結されたシート端部保持部材と；不燃シートの上縁部に沿ってその複数個所に固定され，且つ上側枠部材のシート荷重支持面に水平移動可能に載った状態で不燃シートを吊り下げるシート上縁保持部材と；上側枠部材の端部領域から端部枠部材の下端にわたってそれら両部材の側面に重なると共に上側枠部材の端部領域の上面及び端部枠部材の端面にも重なるよう折れ曲がった形で両部材に固定された板状の連結固定部材とを含んでなる装置。【選択図】図１
2020142022.tif 000002
【特許請求の範囲】
【請求項１】
帯状不燃シートタイプの防煙垂壁の取付装置であって，
水平方向に張られる不燃シートの上縁部を支持するための長手方向に延びるシート荷重支持面を有し，且つ支持される不燃シートの厚みより広い幅の長手方向スリットを下面に備え，天井面に沿って固定されるものである上側枠部材と，
防煙垂壁の末端部を構成するよう該上側枠部材の末端において該上側枠部材に対し垂直に配置され，且つ不燃シートの厚みより広い幅の縦方向に延びるスリットを備えるものである，端部枠部材と，
該端部枠部材の内部に配置され，該端部枠部材に対して水平方向位置が調節可能であるように，貫通するボルト及び該ボルトの露出した先端側に螺合するナットを含む連結具で該端部枠部材に連結されたシート端部保持部材と，
不燃シートの上縁部に沿ってその複数個所に固定され，且つ該上側枠部材のシート荷重支持面に水平移動可能に載った状態で不燃シートを吊り下げるシート上縁保持部材と，
該上側枠部材の端部領域から該端部枠部材の下端にわたってそれら両部材の側面に重なると共に該上側枠部材の端部領域の上面及び該端部枠部材の端面にも重なるよう折れ曲がった形で両部材に固定された板状の連結固定部材と
を含んでなる装置。
【請求項２】
該ナットの基部に弾性緩衝部材が配置されているものである，請求項１の装置。
【請求項３】
該連結固定部材の内側の縁部が，該端部枠部材の上端内側縁部よりも内側寄りの該上側枠部材上の位置から該端部枠部材の下端に向かって，斜めに延びているものである，請求項１又は２の装置。
【請求項４】
該シート上縁保持部材が，中央で向かい合わせに折り曲げられた部材であって，該部材の上側部分の間に不燃シートの上縁部を挟み込んだ形で取り付けられ，該部材の下側部分が，該上側枠部材の該スリットを跨いで各シート荷重支持面に載る脚部を形成しているものである。請求項１〜３の何れかの装置。
【請求項５】
該シート上縁保持部材と該上側枠部材のシート荷重支持面との接触が平面同士の密着とならないよう，該シート上縁保持部材の脚部の下縁が曲線状の輪郭を有するものである，請求項４の装置。
【請求項６】
該シート上縁保持部材の脚部が，上部の間に挟まれた不燃シートから離れて斜め下方へ延びるものである，請求項５の装置。
【請求項７】
該シート上縁保持部材が合成樹脂製又は金属製である，請求項１〜６の何れかの装置。
【発明の詳細な説明】
【技術分野】
【０００１】
本発明は，防煙垂壁を取り付けるための装置に関し，詳しくは帯状の不燃シートタイプの防煙垂壁の取り付けのための装置に関する。
【背景技術】
【０００２】
ビル等の一定以上の床面積を有する建築物には，建築基準法により，防煙区画を構成する防煙垂壁の設置が義務づけられている。防煙垂壁は，火災時に発生する煙から人が避難するための時間的猶予を与えるためのものである。従来一般的な防煙垂壁は，多数のガラス板を天井から所定の高さまで下ろしたものを連ねることによって構成されていた。それらは多くの場合，天井面にその裏側の梁等の支持構造物を利用して固定された上側のフレーム部材によって吊り下げられた形の一連のガラス板から構成されていた。
【０００３】
このようなガラス板に基づく防煙垂壁は，地震の際，建物の構造の揺れによる圧力を受けてガラス板が割れて落下する等の危険があり，このため現在は，枠組みに不燃シートを張ってパネル化し，そのようなパネルをガラス板の代わりに必要数横方向並べて吊り下げたタイプのものや，更にそのような枠を用いる代わりに，帯状の１枚の不燃シートをそのまま用い，長手方向の縁の一方に沿って上側フレームで支持して吊り下げ，両端をそれぞれ反対方向に引いてシートに張りをもたせた帯状不燃シートタイプの防煙垂壁が採用されるようになっている。
【０００４】
パネル化せずに帯状の枚の不燃シートを壁の間に張る帯状不燃シートタイプの防煙垂壁は，不燃シートが弛んだ状態でないよう，シートの末端部を壁方向に引いてシートに適度な引張応力を生じさせた状態で取り付けられている必要があり，このため，引張の足場となる支持体として両側の壁を利用し，壁に取り付けられた枠に対して不燃シートの端部を引いてシートに引張応力を生じさせ，その状態で固定するることが行われている。しかしながら壁を利用して張られた不燃シートは，地震の際の建物の構造体の揺れによる天井と壁との位置ずれや角度変動により，一時的にシートが過度に引かれて破損する場合が起こり得る。この破損を防ぐことのできる装置として，不燃シートの末端と壁との連結を強直に固定するのではなく，スプリングを介して壁に連結したタイプの防煙垂壁取付装置が開発され（特許文献１）使用されている。
【０００５】
しかしながら，当該装置は，スプリングを介していても，不燃シートの末端に壁から張力を負荷するように構成されている関係上，防煙垂壁の設置には当該負荷を維持することのできる強度を有する壁がシートの末端付近に確保できることを必要とする。このため，シートの一端にそのような壁が（形状の不適合，障害物の存在，強度の不足等で）を確保できない場合，当該装置は採用できなという難点がある。
【０００６】
また近年の商業施設等のビルの多くで吊り天井が採用されており，その場合天井と壁とは固定されていないため，地震時の揺れに際し天井は振り子のように揺れ，天井の縁と壁との間隔が大きく変動し得る。このため，スプリングを介しているとはいえ壁と不燃シートの端を連結する方式では，その許容範囲を超える振動でシートに過度の負荷がかかる可能性があり，それによるシートの破損や脱落等の懸念がある。
【０００７】
またシートを引くために壁を利用しない方式の帯状の不燃シートを設置する装置も知られている（特許文献２）。当該装置では，シートに引張力を壁から負荷する代わりに，天井側の枠部材をシートの末端を超えて大きく突き出させ，その先端付近を起点として２本のワイヤーをシート末端保持部材の上端及び下端付近に取り付け，斜め方向に引くことによりシートが張られる。この方式では，天井側の枠部材とシート末端を保持した端部保持部材の特に下端付近を引くワイヤーの傾斜のため，ワイヤーにかかる負荷を過大にせずに十分な水平方向の分力をシートに生じさせるには，天井側の枠部材におけるワイヤーの取付位置を端部保持部材から水平方向にかなり離しておかなければならず，従って，天井側の枠部材の延長部分の長さを十分に確保しておく必要がある。然るにこの方式の防煙垂壁も，地震時に天井が壁に対し水平に大きく揺れたとき，天井側の枠部材の延長部分が壁と激突し，枠部材の変形や脱落が生ずる懸念が払拭できない。
【０００８】
近年，新たに建設される建物には免震構造が採用されることが特に増えている。免震構造は地震時の揺れを無理なく許容できるようにすることで建物の破壊を防ぐものであるため，耐震構造とは対照的に建物の揺れは大きく，また建物の構造躯体の各部相互の変位の許容幅も大きい構造であるため，防煙垂壁の構造を，地震時における破損や脱落の懸念を極力減らせるようなものとしておくことが特に望まれている。
【先行技術文献】
【特許文献】
【０００９】
【特許文献１】特許第５６５１９４３号
【特許文献２】特開２０１６−０５９７２７号公報
【発明の概要】
【発明が解決しようとする課題】
【００１０】
上記の背景において，本発明の目的は，両端で引張された帯状不燃シートタイプの防煙垂壁において，シート末端に引張に耐え得る壁が存在するか否かに拘りなく，天井のある任意の場所に取り付けることができ，且つ地震時における壁に対する天井の水平振動や相互の角度変動に起因するシートの破損や脱落を防止できるように設置できるという特徴を備えた，帯状不燃シートタイプの防煙垂壁のための自立型の取付装置を提供することである。
【課題を解決するための手段】
【００１１】
上記目的に沿って検討を重ねた結果，本発明者は帯状シートタイプの防煙垂壁取付装置に構造的特徴のものとすることで上記問題を解消できることを見出し，本発明を完成させた。
【００１２】
１．帯状不燃シートタイプの防煙垂壁の取付装置であって，
水平方向に張られる不燃シートの上縁部を支持するための長手方向に延びるシート荷重支持面を有し，且つ支持される不燃シートの厚みより広い幅の長手方向スリットを下面に備え，天井面に沿って固定されるものである上側枠部材と，
防煙垂壁の末端部を構成するよう該上側枠部材の末端において該上側枠部材に対し垂直に配置され，且つ不燃シートの厚みより広い幅の縦方向に延びるスリットを備えるものである，端部枠部材と，
該端部枠部材の内部に配置され，該端部枠部材に対して水平方向位置が調節可能であるように，貫通するボルト及び該ボルトの露出した先端側に螺合するナットを含む連結具で該端部枠部材に連結されたシート端部保持部材と，
不燃シートの上縁部に沿ってその複数個所に固定され，且つ該上側枠部材のシート荷重支持面に水平移動可能に載った状態で不燃シートを吊り下げるシート上縁保持部材と，
該上側枠部材の端部領域から該端部枠部材の下端にわたってそれら両部材の側面に重なると共に該上側枠部材の端部領域の上面及び該端部枠部材の端面にも重なるよう折れ曲がった形で両部材に固定された板状の連結固定部材と
を含んでなる装置。
２．該ナットの基部に弾性緩衝部材が配置されているものである，上記１の装置。
３．該連結固定部材の内側の縁部が，該端部枠部材の上端内側縁部よりも内側寄りの該上側枠部材上の位置から該端部枠部材の下端に向かって，斜めに延びているものである，上記１又は２の装置。
４．該シート上縁保持部材が，中央で向かい合わせに折り曲げられた部材であって，該部材の上側部分の間に不燃シートの上縁部を挟み込んだ形で取り付けられ，該部材の下側部分が，該上側枠部材の該スリットを跨いで各シート荷重支持面に載る脚部を形成しているものである。上記１〜３の何れかの装置。
５．該シート上縁保持部材と該上側枠部材のシート荷重支持面との接触が平面同士の密着とならないよう，該シート上縁保持部材の脚部の下縁が曲線状の輪郭を有するものである，上記４の装置。
６．該シート上縁保持部材の脚部が，上部の間に挟まれた不燃シートから離れて斜め下方へ延びるものである，上記５の装置。
７．該シート上縁保持部材が合成樹脂製又は金属製である，上記１〜６の何れかの装置。
【発明の効果】
【００１３】
上記の構成になる本発明の装置によれば，両端で引張された帯状の不燃シートを用いるタイプの防煙垂壁でありながら設置に際して，シート端部を固定するための壁が不要である。このため，設置を意図する場所の両側における壁の有無や壁の強度に拘わりなく，天井さえあれば場所を選ばず任意の配置で不燃シートタイプ防煙垂壁を設置することが可能となる。
【００１４】
このため，本発明によれれば，帯状不燃シートタイプの防煙垂壁の設置における設置環境への適用性が飛躍的に拡大する。この結果，高価且つ地震時における危険性の高いガラスパネルによる防煙垂壁や，不燃シートを張った多数の個別のパネルを必要個数並べて防煙垂壁とする煩雑な方式のものに代えて便利に使用することができる。
【００１５】
そしてまた，個のパネルを製造する必要がないため，防煙垂壁の全体として大幅に軽量化でき，且つ部品点数の各段の削減と設置作業の単純化，迅速化が可能となるため，防煙垂壁の設置にかかる全体的コストも遥かに圧縮できる。従って，本発明によれば，特に，取り換えに要するコストの問題で，従来のガラスパネルによる防煙垂壁が設置されたままになっている従来の多くの建物において，遥かに安全性の高い不燃シートタイプの防煙垂壁への切り替えを一気に推進することが可能となる。
【００１６】
更には，本発明の装置は壁に取り付ける必要がないため，壁がある場合でも壁面から十分離して取り付けることができる。その場合壁との隙間はごく柔軟な適宜の不燃性の緩衝材により塞いでおけばよく，そうすることで，免震構造の建物における地震時の大きな揺れに対しても，天井と壁との相互の位置ずれを吸収でき，破損や脱落が防止できる安定且つ安全な防煙垂壁を提供することができる。
【図面の簡単な説明】
【００１７】
【図１】図１は，実施例の防煙垂壁取付装置を用いて建物の天井に取り付けられた防煙垂壁の一例を示す。
【図２】図２は，実施例の防煙垂壁取付装置の端部枠部材を通る模式的断面図である。
【図３】図３は，実施例の防煙垂壁取付装置の上方からの模式的断面図である。
【図４】図４は，実施例の防煙垂壁取付装置の上側枠部材の部分１ａを示す斜視図である。
【図５】図５は，実施例の防煙垂壁取付装置の上側枠部材の部分１ｂを示す斜視図である。
【図６】図６は，実施例の防煙垂壁取付装置のシート端部保持部材を構成する２つの部分（５ａ，５ｂ）を結合前の状態で示す斜視図である。
【図７】図７は，２つの部分（３ａ，３ｂ）を組み合わせ相互に固定することにより構成された端部枠部材の斜視図である。
【図８】図８は，シート端部保持部材と端部枠部材とを連結するボルト，ナット及び弾性緩衝部材を模式的に示す。
【図９】図９は，不燃シートＳの上縁に取り付けられたシート上縁保持部材を示す。
【発明を実施するための形態】
【００１８】
本発明において，上側枠部材，端部枠部材，シート端部保持部材，連結固定部材等の構造部材は金属製又は合成樹脂製とすることができる。金属製とする場合，アルミニウム製（合金を含む）とするのが，素材が比較的軽量である点で好ましい。また，合成樹脂製とする場合は，強度の面から繊維強化プラスチックとするのが好ましく，例えば炭素繊維強化プラスチックが挙げられるが，これに限定されない。
【００１９】
上部枠部材は，天井裏の梁，野縁等を利用して天井にボルト等で固定される。また，上部枠部材は，防煙垂壁の設置場所の幅に応じて所定の長さの複数本を連接させた形で設置することができる。
【００２０】
本発明の防煙垂壁取付装置は，設置にあたり端部を構成する端部枠部材をねじ釘等で壁面に固定しておくことは可能であるが，その必要はないから，壁面から離して設置しておくことができる。壁面との端部枠部材との間に隙間を空けて設置する場合，壁面との隙間は，不燃性且つごく柔軟な部材（例えば不燃シートと同素材）で形成した，外力に応じ無理なく変形可能な素材のカバー等により塞いでおけばよい。
【００２１】
不燃シートを適度の張力を維持した状態で張っておけるようにするには，端部枠部材とシート端部保持部材との連結部に弾性緩衝部材を配置するのが好ましく，弾性緩衝部材としては弾性樹脂（不燃性のウレタンゴム，エラストマー等）又は金属ばね（例えばコイルスプリング）等適宜のものを用いることができ，形状としては肉厚の環状とすることが好ましい。
【００２２】
弾性緩衝部材の水平方向（長手方向）のサイズは，端部枠部材に対し，シート端部保持部材の水平位置を調節可能に連結するボルト及び調節用のナットを含む連結具において，不燃シートを適度の張力で張っておくためにナットの回転角度の調節で弾性緩衝部材を部分的に圧縮しつつ不燃シートの両端間の距離を適度に広げることができるように設定しておけばよい。部分的に圧縮された弾性緩衝部材はその反発力により不燃シートの張力を維持することができる。弾性緩衝部材の反発力の強さは適宜設定すればよく，それに合わせて不燃シート幅に対して設ける上記ボルトと調節用ナットの組合せの個数を設定でき，その逆もまた可能である。
【００２３】
上側枠部材と端部枠部材の双方への連結固定部材を固定は，相互のずれが生じないよう確実に一体化できるものであればよく，例えばボルト，リベット等の金属部材同士の固定に慣用される手段を適宜選んで用いて行うことができる。
【００２４】
シート上縁保持部材は，シートの上縁部を挟み込んむよう中央で向かい合わせに折り曲げられた形で固定される部材であり，該部材は好ましくは合成樹脂製又は金属製である。合成樹脂製の場合，より好ましくは軟質合成樹脂（例えば，ポリプロピレン，ポリエチレン等）製であり，折り曲げ部位は，好ましくは，肉薄のヒンジ部で形成されている。金属製の場合，シートの荷重を受けて僅かに弾性変形可能な程度の寸法や弾性率を有する部材とするのが好ましい。
【００２５】
折り曲げられた状態の該部材の上半部の間に，不燃シートの上縁部が挟まれた形で取り付けられる。取り付けは，不燃シートの上縁部を挟み込んだ状態で，ピン（例えば，かしめピン）等の抜けるおそれがない軸状の固定部材を貫通させ固定することによって行うことができる。このための貫通穴をシート上縁保持部材が予め備えていることが，必須ではないが，好ましい。また該部材の下半部は，不燃シートから離れて斜め下方に延びた脚部を形成しており，脚部は，不燃シートが通る上側枠部材のスリットを跨いで上側枠部材の各シート荷重支持面に載ることにより，不燃シートの荷重を支持することができるように形成されている。また，脚部の下縁は，好ましくは曲線状の輪郭を有しており，そうすることにより，上側枠部材のシート荷重支持面上におけるシート上縁保持部材のスライドの円滑性が確保できる。本発明において帯状の不燃シートは，上側枠部材からそのまま吊り下げられた状態から，弛みを伸ばすように引かれ，最終的に適度の張力を維持するようにして固定されるから，設置工程において不燃シートの張りの変化に応じてシート上縁保持部材が同時にスライドし張力が不燃シートの全長にわたってで均一化できることは重要である。また特に，複数の上側枠部材を連接して用いる必要がある多くの場合において，本来ある程度の寸法誤差を含んだものである建築物の天井への取付に際し，連接された上側枠部材同士の境界部位に避け難い僅かなずれによる段差が生じていても，シート上縁保持部材の下縁が曲線状の輪郭を有していることで円滑なスライドが妨げられないという点で，更に有用である。
【実施例】
【００２６】
以下，実施例を参照して本発明を更に具体的に説明するが，本発明が当該実施例に限定されることは意図しない。
【００２７】
図１は，本発明の実施例の装置を用いて防煙垂壁を取り付けた状態の一例の末端付近を示す。図に示した状態では当該装置は末端が壁Ｗに接しているため，これにねじ釘ＳＮにより固定されているが，当該装置の取付には壁Ｗは必須ではなく，末端を壁Ｗに固定せず離した状態で設置することができる。その場合，ねじ釘ＳＮも不要である。装置の末端と壁Ｗとの間が離れている場合，両者の隙間を塞ぐには，水平方向の外力で柔軟に変形できる適宜の不燃性樹脂等（例えば，不燃シートと同材質のもの）により作製された部材でカバーしておけばよく，その様な部材の形状は，隙間を塞ぎ且つ地震時の位置ずれを吸収できる余裕を持たせ得る限り適宜である。。
【００２８】
本発明の装置は，そのアルミニウム製の上側枠部材１が天井Ｃに沿ってねじ（図示せず）で固定されることによって天井に取り付けられている。上側枠部材１の末端に同じ素材の端部枠部材３が固定されており，端部枠部材３の内部には同素材のシート端部保持部材５が備えられている。帯状の不燃シートＳはその両端の縁部において，複数個所のボルト８で互いに固定された２つの部分からなるシート端部保持部材５により挟まれ，水平方向に張力を掛けた状態で保持され，且つ，上側枠部材１の内部に適宜の間隔で配置されたシート上縁保持部材９によって，重力に対抗して保持されている。
【００２９】
シート端部保持部材５には，頭部が端部枠部材３に固定された複数のボルト１０が貫通しており，シート端部保持部材５から出たボルト１０の先端側には肉厚筒状のウレタン製ゴムよりなる弾性緩衝部材１１を間に挟んでナット１２が嵌められている。ナット１２を回してそのボルト１０上の位置を変化させることにより，端部枠部材３内においてシート端部保持部材５をある範囲内で水平方向にシフトさせることができる。従って，不燃シートＳが波打った状態にならないよう，ナット１２の締めを加減することによりシート端部保持部材５の位置を調節して，不燃シートＳに適度の張力がかかった状態が維持される。
【００３０】
上側枠部材１と端部枠部材３は，これらの双方の側面（図面背後側）に重ねられた板状の連結固定部材１５がボルト（示さず）で固定されると共に，連結固定部材１５は上部では折れ曲がって上側枠部材１の天面に，また端部においても折れ曲がって端部枠部材３の端面にそれぞれ重なり，共にボルト（示さず）でそれぞれの部材に更に固定されることで，強固に一体化している。
【００３１】
図２は，装置の末端付近を構成する端部枠部材を通る模式的断面図である。図において，上側枠部材１は，組み合わされた２つの部分（１ａ，１ｂ）から構成されており，部分１ａの片側が，部分１ｂの内側に設けられた突条であるステップ１ｂ(1)に長手方向の縁１ａ(1)で載ると共に，当該ステップ部１ｂ(1)と部分１の上縁部１ｂ(2)との間に嵌った形で，相互にねじ１７により固定されて一体化している。一体化した状態で上側枠部材１は，下側で部分１ａ及び１ｂの間にスリット状の隙間を形成しており，不燃シートＳは，上側枠部材１の内部から当該隙間を通って下方に下がっている。
【００３２】
端部枠部材３も，組み合わされ一体に結合された２つの部分（３ａ，３ｂ）から構成されており，その状態で部分３ａ及び３ｂの対向する縁（スリット縁３ａ(1)，３ｂ(1)）の間に鉛直方向のスリット状の間隙を形成しており，これは，端部枠部材３の内外にわたって延びる不燃シートＳに通路を提供している。
【００３３】
図において，上側枠部材１の上面と一側面及び端部枠部材３の同じ側の一側面には，折れ曲がった板状の連結固定部材１５が重ね合わされており，ボルト（図示せず）でそれらに結合されている。連結固定部材１５は，（図２では見えないが）端部枠部材３の側面から延び折れ曲がって端面と重なり，これにもボルトで固定されている。
【００３４】
図３は，実施例の装置の上方からの模式的上面図である。図において，部分３ａと３ｂからなる端部枠部材３の内側には，部分５ａ及び５ｂを含んだシート端部保持部材５が配置されている。シート端部保持部材は，ボルト１０及びナット１２によって端部枠部材３と連結されており，ナット１２の基部に配置された弾性緩衝部材１１が，ナット１２の調節による適度の圧縮によってシート端部保持部材５を介して不燃シートＳに適度の張力を付与している。シート端部保持部材５は，複数個所でボルト５ｃ及びナット５ｄにより固定された２つの部分（５ａ，５ｂ）から構成されており，それら両部分の間に不燃シートＳを挟んで押圧した状態で保持している。連結固定部材１５は，上側枠部材１の側面（部分１ｂ側）と端部枠部材３の側面（部分３ｂ側）の双方に重なり，更端部枠部材３の端面にも重なって，それぞれにボルト（図示せず）で固定されている。
【００３５】
図４は，上側枠部材の部分１ａを示す斜視図である。部分１ａは，上側枠部材の部分１ｂと組み合わせたときにそのステップ部１ｂ(1)に載る縁１ａ(1)，及び部分１ｂの上縁部１ｂ(2)が載るステップ部１ａ(2)を備えている。上側枠部材の部分１ａはまた，後に詳述するシート上縁保持部材９がスライド可能に載るためのシート荷重支持面１ａ(3)，及び部分１ｂとの間で不燃シートＳを通すことのできる幅のスリットを構成し且つ部分１ｂとの結合前でもシート上縁保持部材９の脱落を防止できるよう，スリットの縁に沿って立ち上がったストッパーレール１ａ(4)を備えている。
【００３６】
図５は，上側枠部材１の部分１ｂを示す斜視図である。部分１ｂは，組み合わされたときに部分１ａの縁１ａ(1)が載るためのステップ部１ｂ(1)を備えると共に，部分１ａのステップ部１ａ(2)に載るよう水平方向に折れ曲がった上縁部１ｂ(2)も備えている。上側枠部材の部分１ｂはまた，シート上縁保持部材９がスライド可能に載るためのシート荷重支持面１ｂ(3)，及びスリットを構成する立ち上がったストッパーレール１ｂ(4)を備えている。
【００３７】
図６は，シート端部保持部材５を構成する２つの部分（５ａ，５ｂ）を結合前の状態で示す。それら両部分は押圧面５ａ(1)及び５ｂ(1)をそれぞれ備えており，不燃シートＳはそれらの押圧面の間に挟み込まれ，両押圧面を貫通して配置されるボルト２０及びナット２１（図３を参照）によって，押圧状態で固定される。図６には，ボルト穴は描かれていないが，ボルト穴は，防煙垂壁の施工のために両部分を必要な長さに裁断した後で，適切な部位にあければよい。また部分５ｂは，押圧面側でない牽引部５ｂ(2)に貫通するボルト穴があけられ（図示せず），端部枠部材に係合したボルト１０は当該貫通穴を通って反対側において弾性緩衝部材１１を挟んでナット１２で固定され，ナット１２は，不燃シートＳに適度な牽引力がかかるよう，その締め加減が調節される。
【００３８】
図７は，２つの部分（３ａ，３ｂ）を組み合わせ相互に固定することにより構成された端部枠部材３の斜視図である。両部分は，部分３ａが部分３ｂと重なるフランジ３ａ(2)において，両部分を貫通するボルト（図示せず）で固定されている。端部枠部材３は，その部分３ａと３ｂの間にスリットＳＬを画している。
【００３９】
図８は，シート端部保持部材５を端部枠部材３とを連結するボルト１０，ナット１２，及びナット１２の基部に配置される弾性緩衝部材１１を模式的に示す。ボルト１０はその頭部が端部枠部材に係合しており，軸部はシート端部保持部材５のに設けられた貫通穴に通され，先端側に弾性緩衝部材１１が嵌められ及びその先にナット１２が螺合している。弾性緩衝部材は，本実施例ではウレタンゴム製である。
【００４０】
図９は，帯状の不燃シートＳの上縁に適宜の間隔で取り付けられたシート上縁保持部材９の１つを示す。同部材は軟質樹脂製であり，本実施例ではポリプロピレン製である。本実施例において同部材は，肉薄に形成された部分をヒンジ部９ａとする面対称の部材であり，不燃シートＳの上縁を挟むようにヒンジ部９ａで折り曲げられ，不燃シートＳを穿孔して通されたかしめピン９ｂにより固定されている。シート上縁保持部材９の下側部分は，不燃シートＳの表面から離れて斜め下方に延び，曲線の輪郭を下側に有する一対の脚部９ｃを形成している。シート上縁保持部材９は，脚部ｃの下側の縁９ｄで上側枠部材１のシート荷重支持面１ａ(３)，１ｂ(３)にスライド可能に載せられる。脚部９ｃの輪郭が曲線であり，シート荷重支持面１ａ(３)，１ｂ(３)に密着しないため，スライドし易く，防煙垂壁の設置時に上側枠部材に載せたシート上縁保持部材９に吊り下げられた不燃シートＳを引く際に，連結された上側枠部材間の僅かな段差等にも引っ掛ってしまうことがなくスライドできる。また負荷に応じ幾分は変形が可能であるため，防煙垂壁の設置作業で生じ得る僅かな取付誤差も吸収することができ，不燃シートＳを安定して均一な状態で保持することが容易となる。
【産業上の利用可能性】
【００４１】
本発明は，強度その他の理由から末端の固定に利用できる壁面がない場合でも，帯状シートタイプの防煙垂壁を設置することができ，更に地震に際して天井と壁との大きな位置ずれに対しても破損や落下の防止が可能で，製造コストを従来に比べ各段に抑えられ，且つ迅速，低コストで設置できる防煙垂壁として有用性が高い。
【符号の説明】
【００４２】
１：上側枠部材
１ａ：上側枠部材の構成部分，１ａ(1)：縁，１ａ(2)：ステップ部，１ａ(3)：シート荷重支持面，１ａ(4)：ストッパーレール
１ｂ：上側枠部材の構成部分，１ｂ(1)：ステップ部，：１ｂ(2)上縁部，１ｂ(3)：シート荷重支持面，１ｂ(4)：ストッパーレール
３：端部枠部材
３ａ：端部枠部材の構成部分，３ａ(1)：スリット縁，３ａ(2)：フランジ
３ｂ：端部枠部材の構成部分，３ｂ(1)：スリット縁
５：シート端部保持部材
５ａ：シート端部保持部材の構成部分，５ａ(1)：押圧面
５ｂ：シート端部保持部材の構成部分，５ｂ(1)：押圧面
５ｃ：ボルト
５ｄ：ナット
９：シート上縁保持部材，
９ａ：ヒンジ部，９ｂ：かしめピン，９ｃ：脚部，９ｄ：縁
１０：ボルト
１１：弾性緩衝部材
１２：ナット
１５：連結固定部材
Ｃ：天井
Ｓ：不燃シート
ＳＬ：スリット
ＳＮ：ねじ釘
Ｗ：壁
【図１】
2020142022.tif 000003
【図２】
2020142022.tif 000004
【図３】
2020142022.tif 000005
【図４】
2020142022.tif 000006
【図５】
2020142022.tif 000007
【図６】
2020142022.tif 000008
【図７】
2020142022.tif 000009
【図８】
2020142022.tif 000010
【図９】
2020142022.tif 000011